(57)【要約】  本開示は、セルラー通信システムに使用されるマイクロ波空洞フィルターに関する。より具体的には、一態様において、本開示は、ガルバニック接続なしで、櫛形空洞フィルターをアンテナ要素に直接統合することに関する。別の態様では、本開示は、接触なしで、櫛形フィルターをロードする方法に関する。
2014529978.tif 000002
【特許請求の範囲】
【請求項１】
装置において、
ハウジングを含み、前記ハウジングは、
複数の個々の共振器であって、前記複数の個々の共振器はそれぞれ、規定されたキャパシタンスを有し、個別に接地されている、共振器、
１つまたは複数の共通共振器であって、
前記複数の個々の共振器および前記１つまたは複数の共通共振器は、フィルターネットワークを形成する、共通共振器、ならびに、
１組のプローブ、
を含み、
前記プローブはそれぞれ、前記複数の個々の共振器あるいは前記１つまたは複数の共通共振器とのガルバニック接触を必要とせずに、第１の前記複数の個々の共振器および前記１つまたは複数の共通共振器を１つまたは複数の外部構成要素に電気的に連結するためのものである、装置。
【請求項２】
請求項１に記載の装置において、
前記１組のプローブと関連する深さを制御することにより、前記複数の個々の共振器および前記１つまたは複数の共通共振器を同調させるための、ネジおよびナット組立体をさらに含む、装置。
【請求項３】
請求項１に記載の装置において、
蓋部をさらに含む、装置。
【請求項４】
請求項３に記載の装置において、
前記１組のプローブのうちの少なくとも１つは、前記蓋部の上に取り付けられたコネクタを含む、装置。
【請求項５】
請求項３に記載の装置において、
前記１組のプローブのうちの少なくとも１つのプローブは、前記蓋部を通って突き出るプローブに対応する、装置。
【請求項６】
請求項５に記載の装置において、
前記蓋部より上に取り付けられた回路基板をさらに含み、
前記回路基板は、前記蓋部を通って突き出る前記プローブのための開口部を含む、装置。
【請求項７】
請求項１に記載の装置において、
前記１組のプローブのうちの少なくとも１つのプローブは、絶縁層を含む、装置。
【請求項８】
請求項１に記載の装置において、
前記１組のプローブのうちの少なくとも１つのプローブは、前記少なくとも１つの共通共振器と関連する中央ピンに対応する、装置。
【請求項９】
請求項８に記載の装置において、
前記中央ピンは、裸線に対応する、装置。
【請求項１０】
請求項１に記載の装置において、
前記１組のプローブは、アンテナ給電装置に連結される、装置。
【請求項１１】
請求項１に記載の装置において、
前記複数の個々の共振器、前記少なくとも１つの共通共振器、および前記１組のプローブは、デュプレクサとして構成される、装置。
【請求項１２】
請求項１に記載の装置において、
前記複数の個々の共振器、前記少なくとも１つの共通共振器、および前記１組のプローブは、１組のデュプレクサとして構成される、装置。
【請求項１３】
装置において、
フィルターネットワークを形成する複数の共振器と、
フィルターネットワークを形成する前記複数の共振器とのガルバニック接触を必要とせずに、前記フィルターネットワークを形成する前記複数の共振器を、１つまたは複数の外部構成要素に電気的に連結するプローブ手段と、
を含む、装置。
【請求項１４】
請求項１３に記載の装置において、
前記複数の共振器は、個別に接地された１組の個々の共振器を含む、装置。
【請求項１５】
請求項１３に記載の装置において、
前記複数の共振器は、１つまたは複数の共通共振器を含む、装置。
【請求項１６】
請求項１３に記載の装置において、
前記プローブ手段は、前記装置に関連する蓋部に取り付けられたコネクタを含む、装置。
【請求項１７】
請求項１６に記載の装置において、
前記プローブ手段は、前記装置に関連する前記蓋部を通って突き出るプローブを含む、装置。
【請求項１８】
請求項１３に記載の装置において、
前記プローブ手段は、絶縁層を有する少なくとも１つのプローブを含む、装置。
【請求項１９】
請求項１３に記載の装置において、
前記プローブ手段は、アンテナ給電装置に連結される、装置。
【請求項２０】
請求項１３に記載の装置において、
前記複数の共振器は、デュプレクサとして構成される、装置。
【請求項２１】
請求項１３に記載の装置において、
前記複数の共振器は、１組のデュプレクサとして構成される、装置。
【請求項２２】
装置において、
フィルターネットワークを形成する複数の共振器と、
１組のプローブと、
を含み、
前記プローブはそれぞれ、前記フィルターネットワークを形成する前記複数の共振器とのガルバニック接触を必要とせずに、前記フィルターネットワークを形成する前記複数の共振器を、１つまたは複数の外部構成要素に電気的に連結するためのものである、装置。
【請求項２３】
請求項２２に記載の装置において、
前記複数の共振器は、個別に接地された１組の個々の共振器を含む、装置。
【請求項２４】
請求項２２に記載の装置において、
前記複数の共振器は、１つまたは複数の共通共振器を含む、装置。
【請求項２５】
請求項２２に記載の装置において、
前記１組のプローブは、前記装置と関連する蓋部に取り付けられたコネクタを含む、装置。
【請求項２６】
請求項２５に記載の装置において、
前記１組のプローブは、前記装置と関連する前記蓋部を通って突き出るプローブを含む、装置。
【請求項２７】
請求項２２に記載の装置において、
前記１組のプローブは、絶縁層を有する少なくとも１つのプローブを含む、装置。
【請求項２８】
請求項２２に記載の装置において、
前記複数の共振器は、デュプレクサとして構成される、装置。
【発明の詳細な説明】
【開示の内容】
【０００１】
〔背景〕
完全な基地局の機能性は、レドームエンクロージャ（radome enclosure）の内側に収容され得る。したがって、性能、サイズ、および組み立てやすさに関して最も有効な方法で、エンクロージャ内部で異なるモジュールを相互接続することは、非常に重要になっている。最近では、レドームエンクロージャ自体の内部の、デュプレクサ／フィルター、アンテナパッチ、電力増幅器、低雑音増幅器、移相器、デジタル信号処理電子機器および他の制御電子機器など、送受信構成要素すべての統合が増えてきている。このような統合アンテナ無線システム（integrated antenna radio systems）は、アクティブアンテナアレイ（ＡＡＡ）として知られている。ＡＡＡの１つの利点は、従来かさ高な無線システムがほぼアンテナ自体のサイズまで縮まることができ、これにより外部のＲＦコネクタおよびＲＦ同軸ケーブルが排除されることである。データ回線および電力線のみが、ＡＡＡに投入されることができ、電力消費が減少した、著しい性能の強化が結果としてもたらされる。
【０００２】
統合されたアーキテクチャでは、リンクバジェットの改善は、およそ３ｄＢ〜５ｄＢであると見なされる。このようなリンクバジェットの改善は、従来の基地局のサービスエリア半径（coverage radius）が、ほぼ１００％増加し、合計電力消費が４０％も減少し、これにより、より低コストで、より高性能のシステムが作られることを、意味している。アンテナシステムは、典型的には高い場所に設置されるので、重量は、できるだけ軽いほうが好ましく、目標は、人間一人で持ち上がる重量（one person lift）である。したがって、追加部品を必要とせずに行われ得るあらゆる統合は、重量および組み立てやすさの点において機械的利点があるだけでなく、著しい性能利点もある。従来の連結および供給（feeding）方法では、内部ガルバニック接続（internal galvanic connection）が必要である。このようなガルバニック接続は、組み立て時に障害（difficulties）を受ける場合があり、損失をもたらす場合があり、また、断続的な接続の場合には相互変調をこうむる場合もある。
【０００３】
本発明の前述した態様および付随の利点の多くは、添付図面と併せて以下の詳細な説明を参照することでこれらをよりよく理解すれば、より容易に認識されるであろう。
【０００４】
〔詳細な説明〕
本開示は、セルラー通信システムで使用されるマイクロ波空洞フィルター（microwave cavity filters）に関する。より具体的には、一態様において、本開示は、ガルバニック接続なしでアンテナ要素と直接的に櫛形空洞フィルター（combline cavity filters）を統合することに関する。別の態様では、本開示は、接触なしで、櫛形フィルターをロードする方法に関する。しかしながら、当業者は、本開示に従って、追加または代替的な態様が明らかとなり得ることを、理解するであろう。
【０００５】
本発明の実施形態は、多くの利点を提供し、その利点には、アンテナ要素に接続されるコネクタおよび長い伝送線が排除されることにより、アンテナ全体の重量が軽くなり、経路損失が減少することが含まれる。例示的な実施例として、従来の６要素アレイでは、アンテナパッチとダイプレクサとの間を接続するのに、２４個のコネクタ（デュプレクサ側に１２個と、アンテナ側に１２個）、および１２本の伝送線が必要とされる。前述したように、これらの接続それぞれは、製造のコストおよび複雑さを増大させ、少なくとも部分的には、アレイの動作により受ける損失の源となり得る。本開示に従って、開示する連結技術を実行する６要素アレイは、従来の接続に付随する損失を低減する。さらに、６要素アレイは、組み立てるのがより容易であると思われ、また、二重化接続点（duplexing junction）からの受動相互変調の生成の追加的な潜在的減少を経験するであろう。これは、本発明の実施形態において、ガルバニック接続がないためである。
【０００６】
本発明の実施形態は、添付図面を参照して説明される。以下の説明は、多くの特定の詳細と共に、多くの変形体が可能であることが理解されるために省略されているかもしれない特定の詳細を含まない場合があり、このため、本発明の十分な理解を損なうであろうことが、理解される。しかしながら、本発明は、様々な技術を利用しながら実現され得ることが、当業者には明らかであろう。
【０００７】
図１Ａ〜図１Ｄは、従来の接続構成要素に使用される、入力／出力連結技術を示す。図１に示すように、入力および出力連結は、中央伝送線１６を、共振器１２（図１Ａ）（または図１Ｂの共通共振器１８）内に直接接続することによって、あるいは、共振器１２（図１Ｃ）（または図１Ｄの共通共振器１８）に平行であり、反対端部で接地されるローディングポスト（loading post）１７に接続することによって、行われる。
【０００８】
理解しやすくするために、共振器動作の理論の基本を、図２Ａ〜図２Ｃを参照して以下に簡単に述べる。図２Ａは、フィルターネットワーク２０４に対する入力部２０２を示し、フィルターネットワーク２０４は、出力部２０６に接続される。図２Ｂに示すように、フィルターネットワーク２０４は、櫛形フィルター２１２、２２２、２３２、２４２、２５２を含んでよく、これらの櫛形フィルターは、約９０°未満の電気長の、誘導結合された共振器であり、これらは、一端部で接地され、他端部での微調整のため、容量性同調ネジが（共振器１、２．．．Ｎそれぞれについて）キャパシタンスＣ１（２１０）、Ｃ２（２２０）、Ｃ３（２３０）、Ｃ４（２４０）．．．ＣＮ（２５０）を与える。所望の性能が、特定のフィルターで使用されるこれらの共振器の数を決定するのに役立つ。これらの共振器は、非対称のフィルター応答のために、誘導的または協働的に（coactively）交差結合され得る。例えば、通過帯域の片側において、通過帯域のもう一方の側より選択的な共振器を有することが可能である。このような非対称の応答は、現実の世界での適用では、より典型的となり得る。フィルターネットワーク２０４の等価回路が、図２Ｃに示されている。
【０００９】
当業者は、各共振器の端部の電圧ＶＮが、アドミタンス行列と呼ばれることもある以下の行列に従って、電流ＩＮと関連することを、理解するであろう：
【数１】
2014529978.tif 000003
式中、Ｙｉｊは、アドミタンス行列であり、ｉ＝１〜Ｎかつｊ＝１〜Ｎであり、
ｌは共振器の長さであり、
ｖは、伝搬速度である。
【００１０】
１つの共通のポートがある状態で、周波数の帯域で分離された２つのフィルターは、デュプレクサまたはダイプレクサと呼ばれ、周波数の帯域で分離された３つのフィルターは、トリプレクサと呼ばれ、周波数の帯域で分離された４つのフィルターは、クワッドプレクサ（quadplexer）と呼ばれる、などである。より一般的には、共通のポートを共有する複数のフィルターは、マルチプレクサと呼ばれる。デュプレクサ３００の一例が、図３に示されている。各フィルター３１０、３２０は、入力ポート３１２、３２２と、出力ポート３１４、３２４とをそれぞれ有する。デュプレクサ３００は、二重化接続点（duplexing junction）３２０を含み、これは、アンテナ構成要素３４０またはアンテナ給電装置に連結される。
【００１１】
例示的には、二重化接続点３２０は、内部ガルバニック接続を必要とする、図１に示す従来の連結方法を実行し得る。このようなガルバニック接続は、組み立て時に障害を受ける場合があり、断続的な接続の場合には相互変調を受けやすい場合もある。あるいは、本開示の二重化接続点構成要素が、実装されてもよい。
【００１２】
図４Ａ〜図４Ｃおよび図５Ａ〜図５Ｄは、二重化接続点３２０（図３）を実装するための様々な実施形態を示す。図４Ａおよび図４Ｂに示すように、主要フィルターハウジング４０４は、金属で製造されてよく、やはり金属で製造される主要蓋部４０６を含んでもよく、複数の共振器４０２を収容することができる。ハウジング４０４は、送信フィルターおよび受信フィルター双方に共通である、共通共振器４２８も含み得る。共振器４０２および共通共振器４２８は、同調ネジおよびナット組立体４０８を通じて、主要ハウジング１３の内側でロックされ得る。組立体４０８は、ロックされるように上下に動くことができる。
【００１３】
フィルター内へのＲＦエネルギーの必要な連結の量は、共振器４０２、４２８への近さ、および、ハウジング４０４内へのプローブ４２６の貫通に依存する。いくつかの実施形態では、プローブ４２４を使用して、連結を行うことができる。概して、プローブ４２４が長いほど、連結は強力になる。プローブ４２４の貫通の深さは、ハウジング４０４の寸法によって、事実上制限され得る。プローブ４２４は、ハウジング４０４の床部から約数ミリメートル離れるように設計され得る。様々な実施形態では、このプローブ４２４は、地金であってよく、あるいは、当技術分野で既知のような、誘電材料で覆われていてよい。従来は、フィルターの入力部および出力部は、直接的なはんだ付け、ネジ留め、または加圧（pressing）を通じて、共振器４０２または４２８に接続される。本明細書に開示される実施形態は、直接的な金属と金属の接触なしで、しかし、ガルバニック接触なしのプローブ４２４との連結を通じて、フィルターの同調（tuning）を可能にする。
【００１４】
引き続き図４Ａを参照すると、フィルター４００は、コネクタ４２０に接続された中央ピン４２６を有するコネクタ４２０と同調され得る。いくつかの実施形態では、コネクタ４２６は、図４Ａの真ん中上に示すコネクタなど、開回路の裸線（open circuited bare wire）であってよい。他の実施形態では、裸線は、適切な絶縁材料で作られ得る絶縁体４２２で覆われ得る。絶縁体４２２は、共通の接続点が共振器４０２に触れないことを確実にする。さらに、絶縁体４２２は、追加的な同調の柔軟性（additional tuning flexibility）のためにも使用され得る単なる空気誘電体と比べて、連結を増大させるのを助けることができる。
【００１５】
フィルターが十分に同調されると、中央ピン４２４を備えたコネクタ４２０は取り外されてよく、（直径を含めて）同じ寸法の新しい中央ピンを挿入でき、これは、他のモジュールをフィルターに接続するのに、より大きな柔軟性を与えることになる。図４Ｃに示すように、他の実施形態では、コネクタ４２０のみを取り外してよく、中央ピン４２４を所定の場所に保持する。いくつかの適用では、中央ピン４２４は、単に、コネクタの中央ピンであってよく、すなわち、長い中央ピン４２４を有するコネクタを、開回路のプローブとして使用することができる。他の実施形態では、中央ピン４２４は、絶縁体４２２で覆われ得る。
【００１６】
図５は、プローブがハウジング４０４のカバー４０６から突出する実施形態を示す。図５は、例示しやすくするため、第１のＴｘ共振器４０２および第１のＲｘ共振器４０２のみ、または、フィルターの共通共振器４２８のみを示している。共振器４０２（図５Ａおよび図５Ｃ）または共通共振器４２８（図５Ｂおよび図５Ｄ）と平行に下がる金属プローブ４２４は、ＲＦエネルギーをフィルター内に連結することができる。図５Ｃおよび図５Ｄに示すものなどの、いくつかの実施形態では、回路基板４３０が、プローブ４２４がこれを貫いた状態で設置されてよく、プローブは、回路基板４３０上のトレースにはんだ付けされ得る。図５Ａ〜図５Ｄに示すように、プローブ４２４は、アンテナ接続点におけるガルバニック接続の必要性を排除する。先に論じたように、共振器へのプローブ接続の使用により、アンテナ給電要素（antenna feed element）が、追加のケーブルおよびコネクタなしで、直接接続されることができる。
【００１７】
図６は、二重化接続点の実施形態の上面図を示す。図６は、端部が開口したプローブ４２４を使用して連結された共通共振器４２８を示す。理解しやすいように、アンテナの第１のＴｘ共振器４０２および第１のＲｘ共振器４０２が図示されているが、いくつかの共振器がハウジング内に存在してもよい。
【００１８】
本明細書に開示された実施形態は、アンテナアレイシステムにおいて、アンテナ給電装置をロードした、端部が開口したプローブと、デュプレクサ共通接続点を直接統合することを可能にする。ピコセル、フェムトセル、およびアクティブアンテナアレイ通信システムに使用される、櫛形空洞デュプレクサは、開示された開回路の連結を使用し得る。マイクロ波櫛形フィルターは、開示された開回路のプローブ連結も使用し得る。任意の外部装置と、開回路のプローブ連結を有するマイクロ波櫛形フィルターをインターフェースでつなぐ方法も開示される。長い中央コネクタピンを、開回路の連結プローブとして使用することができる。
【００１９】
例示的な実施形態を開示し論じてきたが、当業者は、追加または代替的な実施形態が、本開示の趣旨および範囲内で実行され得ることを、理解するであろう。さらに、多くの実施形態が例示的なものとして示されてきたが、当業者は、それらの例示的な実施形態が、互いに組み合わせられたり共に実行されたりする必要はないことを、理解するであろう。したがって、いくつかの例示的な実施形態は、本開示の変形体の範囲に従って利用または実行される必要はない。
【００２０】
とりわけ、「できる（can）」、「できた（could）」、「かもしれない（might）」または「してよい（may）」などの、条件付きの語は、特に指定のない限り、または、別様に、使用されたとおりに文脈内で理解されない限り、概して、特定の実施形態が特定の特徴、要素または工程を含むが、他の実施形態はそれらを含まないことを伝えることが意図されている。よって、そのような条件付きの語は、特徴、要素または工程が１つまたは複数の実施形態について多少なりとも必要とされていること、あるいは、ユーザ入力または促し（user input or prompting）の有無にかかわらず、これらの特徴、要素または工程が任意の特定の実施形態に含まれるか、または任意の特定の実施形態で行われる予定であるかどうかを決定するロジックを１つまたは複数の実施形態が必ず含むこと、を含意することを概して意図していない。さらに、別段指定のない限り、または、別様に、使用されたとおりに文脈内で理解されない限り、要素のリストを列挙する際に接続詞「または（or）」を使用することは、単一の要素のみの選択を制限するものではなく、また、２つまたは３つ以上の要素の組み合わせを含み得ることを示唆することが概して意図されている。
【００２１】
本明細書に記載し、かつ／または添付図面に描かれた、フローチャートにおける任意のプロセスの説明、要素、または、ブロックは、プロセスにおいて特定の論理機能または工程を実行するために１つまたは複数の実行可能な命令を含むコードのモジュール、セグメント、または一部を潜在的に表わすものとして、理解されるべきである。当業者により理解されるであろうが、代替的な実装は、要素または機能が削除され得る、本明細書に記載の実施形態の範囲内に含まれ、含まれる機能性に応じて、実質的に同時または逆の順序を含め、図示もしくは議論したものから外れて実行される。前述されたデータおよび／または構成要素が、ＣＤ−ＲＯＭ、ＤＶＤ−ＲＯＭ、またはネットワークインターフェースなどコンピュータ実行可能構成要素を記憶するコンピュータ可読媒体と関連付けられたドライブ機構を用いて、コンピュータ可読媒体に記憶され、コンピュータデバイスのメモリにロードされ得ることも、さらに理解されるであろう。さらに、構成要素および／またはデータは、単一のデバイス内に含まれるか、または任意の様式で分配され得る。したがって、汎用コンピュータデバイスは、前述した様々なデータおよび／または構成要素の処理および／または実行により本開示のプロセス、アルゴリズムおよび方法を実行するように構成され得る。あるいは、本明細書に記載した方法の一部またはすべては、代わりに、専用コンピュータハードウェアで具体化され得る。さらに、本明細書で言及される構成要素は、ハードウェア、ソフトウェア、ファームウェア、またはそれらの組み合わせにおいて実装されてよい。
【００２２】
前述した実施形態に対して多くの変形および改変が行われてよく、その要素は、とりわけ許容可能な実施例として理解されるべきものであることを、強調する。このようなすべての改変および変形は、本開示の範囲内で本明細書に含まれ、また特許請求の範囲により保護されることが意図されている。
【００２３】
〔実施の態様〕
（１）  装置において、
ハウジングを含み、前記ハウジングは、
複数の個々の共振器であって、前記複数の個々の共振器はそれぞれ、規定されたキャパシタンスを有し、個別に接地されている、共振器、
１つまたは複数の共通共振器であって、
前記複数の個々の共振器および前記１つまたは複数の共通共振器は、フィルターネットワークを形成する、共通共振器、ならびに、
１組のプローブ、
を含み、
前記プローブはそれぞれ、前記複数の個々の共振器あるいは前記１つまたは複数の共通共振器とのガルバニック接触を必要とせずに、第１の前記複数の個々の共振器および前記１つまたは複数の共通共振器を１つまたは複数の外部構成要素に電気的に連結するためのものである、装置。
（２）  実施態様１に記載の装置において、
前記１組のプローブと関連する深さを制御することにより、前記複数の個々の共振器および前記１つまたは複数の共通共振器を同調させるための、ネジおよびナット組立体をさらに含む、装置。
（３）  実施態様１に記載の装置において、
蓋部をさらに含む、装置。
（４）  実施態様３に記載の装置において、
前記１組のプローブのうちの少なくとも１つは、前記蓋部の上に取り付けられたコネクタを含む、装置。
（５）  実施態様３に記載の装置において、
前記１組のプローブのうちの少なくとも１つのプローブは、前記蓋部を通って突き出るプローブに対応する、装置。
【００２４】
（６）  実施態様５に記載の装置において、
前記蓋部より上に取り付けられた回路基板をさらに含み、
前記回路基板は、前記蓋部を通って突き出る前記プローブのための開口部を含む、装置。
（７）  実施態様１に記載の装置において、
前記１組のプローブのうちの少なくとも１つのプローブは、絶縁層を含む、装置。
（８）  実施態様１に記載の装置において、
前記１組のプローブのうちの少なくとも１つのプローブは、前記少なくとも１つの共通共振器と関連する中央ピンに対応する、装置。
（９）  実施態様８に記載の装置において、
前記中央ピンは、裸線（bar wire）に対応する、装置。
（１０）  実施態様１に記載の装置において、
前記１組のプローブは、アンテナ給電装置に連結される、装置。
【００２５】
（１１）  実施態様１に記載の装置において、
前記複数の個々の共振器、前記少なくとも１つの共通共振器、および前記１組のプローブは、デュプレクサとして構成される、装置。
（１２）  実施態様１に記載の装置において、
前記複数の個々の共振器、前記少なくとも１つの共通共振器、および前記１組のプローブは、１組のデュプレクサとして構成される、装置。
（１３）  装置において、
フィルターネットワークを形成する複数の共振器と、
フィルターネットワークを形成する前記複数の共振器とのガルバニック接触を必要とせずに、前記フィルターネットワークを形成する前記複数の共振器を、１つまたは複数の外部構成要素に電気的に連結するプローブ手段と、
を含む、装置。
（１４）  実施態様１３に記載の装置において、
前記複数の共振器は、個別に接地された１組の個々の共振器を含む、装置。
（１５）  実施態様１３に記載の装置において、
前記複数の共振器は、１つまたは複数の共通共振器を含む、装置。
【００２６】
（１６）  実施態様１３に記載の装置において、
前記プローブ手段は、前記装置に関連する蓋部に取り付けられたコネクタを含む、装置。
（１７）  実施態様１６に記載の装置において、
前記プローブ手段は、前記装置に関連する前記蓋部を通って突き出るプローブを含む、装置。
（１８）  実施態様１３に記載の装置において、
前記プローブ手段は、絶縁層を有する少なくとも１つのプローブを含む、装置。
（１９）  実施態様１３に記載の装置において、
前記プローブ手段は、アンテナ給電装置に連結される、装置。
（２０）  実施態様１３に記載の装置において、
前記複数の共振器は、デュプレクサとして構成される、装置。
【００２７】
（２１）  実施態様１３に記載の装置において、
前記複数の共振器は、１組のデュプレクサとして構成される、装置。
（２２）  装置において、
フィルターネットワークを形成する複数の共振器と、
１組のプローブと、
を含み、
前記プローブはそれぞれ、前記フィルターネットワークを形成する前記複数の共振器とのガルバニック接触を必要とせずに、前記フィルターネットワークを形成する前記複数の共振器を、１つまたは複数の外部構成要素に電気的に連結するためのものである、装置。
（２３）  実施態様２２に記載の装置において、
前記複数の共振器は、個別に接地された１組の個々の共振器を含む、装置。
（２４）  実施態様２２に記載の装置において、
前記複数の共振器は、１つまたは複数の共通共振器を含む、装置。
（２５）  実施態様２２に記載の装置において、
前記１組のプローブは、前記装置と関連する蓋部に取り付けられたコネクタを含む、装置。
【００２８】
（２６）  実施態様２５に記載の装置において、
前記１組のプローブは、前記装置と関連する前記蓋部を通って突き出るプローブを含む、装置。
（２７）  実施態様２２に記載の装置において、
前記１組のプローブは、絶縁層を有する少なくとも１つのプローブを含む、装置。
（２８）  実施態様２２に記載の装置において、
前記複数の共振器は、デュプレクサとして構成される、装置。
【図面の簡単な説明】
【００２９】
【図１Ａ】先行技術で使用される入力／出力連結技術を示す。
【図１Ｂ】先行技術で使用される入力／出力連結技術を示す。
【図１Ｃ】先行技術で使用される入力／出力連結技術を示す。
【図１Ｄ】先行技術で使用される入力／出力連結技術を示す。
【図２Ａ】基本的な櫛形フィルター理論を示す。
【図２Ｂ】基本的な櫛形フィルター理論を示す。
【図２Ｃ】基本的な櫛形フィルター理論を示す。
【図３】二重化接続点を含むデュプレクサおよびアンテナを示す。
【図４Ａ】二重化接続点の実施形態を描いている。
【図４Ｂ】二重化接続点の実施形態を描いている。
【図４Ｃ】二重化接続点の実施形態を描いている。
【図５Ａ】二重化接続点の実施形態を描いている。
【図５Ｂ】二重化接続点の実施形態を描いている。
【図５Ｃ】二重化接続点の実施形態を描いている。
【図５Ｄ】二重化接続点の実施形態を描いている。
【図６】二重化接続点の実施形態の上面図を示す。
【図１Ａ−１Ｄ】
2014529978.tif 000004
【図２Ａ】
2014529978.tif 000005
【図２Ｂ】
2014529978.tif 000006
【図２Ｃ】
2014529978.tif 000007
【図３】
2014529978.tif 000008
【図４Ａ】
2014529978.tif 000009
【図４Ｂ】
2014529978.tif 000010
【図４Ｃ】
2014529978.tif 000011
【図５Ａ】
2014529978.tif 000012
【図５Ｂ】
2014529978.tif 000013
【図５Ｃ】
2014529978.tif 000014
【図５Ｄ】
2014529978.tif 000015
【図６】
2014529978.tif 000016
【国際調査報告】
2014529978.tif 000017
2014529978.tif 000018
2014529978.tif 000019